(57)【要約】【課題】真空断熱材を簡単に交換でき、よって冷却性能に優れた真空断熱材に容易に更新し得る冷蔵庫を提供する。【解決手段】冷蔵室５と上部冷凍室９の間の隔壁内の冷蔵室５の底板２３の下側に真空断熱材２５を設け、この真空断熱材２５を底板２３に対して近接して配設するように真空断熱材２５の両端を支持して、冷蔵室５と上部冷凍室９との間の断熱性能を向上するとともに、真空断熱材２５が劣化などした場合には、上部冷凍室９を引出し式扉９ａとともに取り出し、この取り出した空所から真空断熱材２５を下方に取り出して、簡単に真空断熱材２５を交換し得る。【選択図】図２
2014006000.tif 000002
【特許請求の範囲】
【請求項１】
真空断熱材を断熱に用いた冷蔵庫であって、
前記真空断熱材を使用する面に配設される真空断熱材を当該面に着脱自在に取り付ける取付部
を有することを特徴とする冷蔵庫。
【請求項２】
前記取付部は、当該面部分に前記真空断熱材を収容可能な大きさの凹部が形成され、この凹部に前記真空断熱材を収容したときに、この真空断熱材の対向する両端部分を覆うように前記面から延出して当該真空断熱材を保持する一対の端部延出部を有することを特徴とする請求項１記載の冷蔵庫。
【請求項３】
前記一対の端部延出部は、一方の端部延出部が他方の端部延出部よりも長く形成されていることを特徴とする請求項１または２記載の冷蔵庫。
【請求項４】
前記取付部は、面状ファスナであるとこを特徴とする請求項１記載の冷蔵庫。
【請求項５】
前記取付部は、冷蔵庫の、側壁部、背壁部、および冷蔵室内部の隔壁部、あるいは冷蔵庫扉部に設けられていることを特徴とする請求項１記載の冷蔵庫。
【発明の詳細な説明】
【技術分野】
【０００１】
本発明の実施形態は、真空断熱材を使用して断熱性能を向上した冷蔵庫に関する。
【背景技術】
【０００２】
冷蔵庫は、断熱性能を向上するために、側壁、後壁、上面壁を含む外壁部および扉等の内部に真空断熱材を設けるとともに、この真空断熱材を設けた隙間に硬質ウレタンフォーム等からなる発泡断熱材を充填している。真空断熱材は、グラスウールなどからなる芯材の上に、例えばポリエチレンなどの合成樹脂フィルムなどからなる内袋体を被せて、芯材を包んでから、内袋体の外側にアルミフィルムを被服などして構成されている。
【０００３】
このように構成される真空断熱材は、外側が薄いフィルムで覆われて構成されることもあり、その場合には、表面などが傷つくことが否定できない。また、冷蔵庫としての寿命が比較的長いことから経年変化に伴う真空断熱材の劣化も指摘されることもある
一方では、真空断熱材の技術革新は目覚ましいものがあり、日進月歩で断熱性能等に優れた製品が市場に提供されるに至っている。
【０００４】
このように真空断熱材の断熱性能が向上した場合には、この向上した真空断熱材を古い真空断熱材と交換することにより、冷蔵庫の冷却性能の向上を図ることが可能である。しかしながら、上述したように、真空断熱材と冷蔵庫本体の筐体との間隙には発泡断熱材が充填されていることから、真空断熱材は発泡断熱材によって前記筐体に固着されているため、実際には真空断熱材を交換することができないという課題もある。
【０００５】
更に、真空断熱材と筐体との間隙に発泡断熱材が充填されていない場合であっても、真空断熱材が配置されている外壁部や扉などの部分は、外壁部や扉などを簡単に分解して内部の真空断熱材を取り出すことができるような構成とはなっておらず、真空断熱材を簡単に交換することができない。
【先行技術文献】
【特許文献】
【０００６】
【特許文献１】特開２０１１−５８６５７号公報
【発明の概要】
【発明が解決しようとする課題】
【０００７】
本発明は、上記に鑑みてなされたもので、その目的とするところは、真空断熱材を簡単に交換でき、冷却性能の更新を計ることのできる冷蔵庫を提供することにある。
【課題を解決するための手段】
【０００８】
実施形態の冷蔵庫は、真空断熱材を断熱に用いた冷蔵庫であって、前記真空断熱材を使用する面に配設される真空断熱材を当該面に着脱自在に取り付ける取付部を有する。
【図面の簡単な説明】
【０００９】
【図１】本発明の一実施形態に係わる冷蔵庫を上部冷凍室が引き出された状態で示す斜視図である。
【図２】図１に示した冷蔵庫の横断面図である。
【図３】図２に示した冷蔵庫において上部冷凍室を取り外して除去した状態を示す冷蔵庫の横断面図である。
【図４】図１に示した冷蔵庫の上部冷凍室の上下周辺の構造を示す断面図である。
【図５】図１に示した冷蔵庫において真空断熱材を上部冷凍室の上側に挿入して取り付けようとする動作状態を示す斜視図である。
【図６】本発明の他の実施形態の冷蔵庫を冷蔵室の右側の開き扉および冷凍室の引出し式扉が開かれた状態で示す斜視図である。
【図７】図６に示した冷蔵庫の冷凍室を引出し式扉とともに取り出して後方から示す斜視図である。
【図８】図７に示した冷凍室の引出し式扉を裏側から見た斜視図である。
【図９】図８に示したように真空断熱材が裏側に取り付けられた引出し式扉の横断面図である
【発明を実施するための形態】
【００１０】
以下、図面を用いて、本発明を実施するための形態(以下、実施形態と称する)を説明する。
【００１１】
図１は、本発明の一実施形態に係わる冷蔵庫を上部冷凍室が引き出された状態で示す斜視図である。図１に示す冷蔵庫１は、上部に両開き式の扉５ａ、５ｂが取り付けられ、この扉５ａ、５ｂの内側に冷蔵室５が設けられている。また、この冷蔵室５の下には、製氷室７および冷蔵から冷凍までの任意の冷却状態に可変し得る切替室とも称する上部冷凍室９が横に並んで設けられている。製氷室７および上部冷凍室９は、それぞれ引出し式扉７ａおよび９ａが取り付けられ、上部冷凍室９の引出し式扉９ａは引き出されて、上部冷凍室９の内部の冷凍貯蔵容器２１が図示されている。更に、製氷室７および上部冷凍室９の下側には、冷凍室１１が設けられ、この冷凍室１１には引出し式扉１１ａが取り付けられている。
【００１２】
図２は、図１に示した冷蔵庫１の横断面図である。図２に示すように、冷蔵室５と上部冷凍室９との間の隔壁の中であって、冷蔵室５の底板２３の下側には、真空断熱材２５が設けられ、この真空断熱材２５の下面は、上部冷凍室９内に直接むき出し、上部冷凍室９の上面を構成している。なお、上部冷凍室９の内部には、冷凍貯蔵物を収納する冷凍貯蔵容器２１が設けられているが、この冷凍貯蔵容器２１は、前側において前記引出し式扉９ａに連結され、引出し式扉９ａを外部に引き出すと、冷凍貯蔵容器２１が外部に引き出されるようになっている。
【００１３】
図３は、図２に示した冷蔵庫１において上部冷凍室９を取り外して除去した状態を示す冷蔵庫の横断面図である。この上部冷凍室９を取り外した状態から分かるように、前記真空断熱材２５は、後側の端部が冷蔵庫１の背面壁に取り付けられたＬ字形の棚部２７の水平延出部２７ａ上に載置されて保持され、前側の端部が前記底板２３の前側の下面に設けられた枠体２９の下面に水平に一端がねじなどで取り付けられた支持部材３１の他端３１ａ上に載置されて、冷蔵室５の底板２３に近接して配設されるとともに、この近接状態を維持するように保持されている。すなわち、真空断熱材２５は、冷蔵室５の底板２３に近接するように前後方向の両端がそれぞれ水平延出部２７ａおよび支持部材３１の他端３１ａに支持されて、冷蔵室５と上部冷凍室９との間に設けられているものである。なお、水平延出部２７ａと支持部材３１の他端３１ａは、一対の延出部を構成するものである。
【００１４】
上述したように、真空断熱材２５は、その前後方向の両端が水平延出部２７ａと支持部材３１の他端３１ａの間に挿入され、それぞれの上に載置されて支持されているが、真空断熱材２５の長さは、水平延出部２７ａと支持部材３１の他端３１ａとの間の長さよりも長いものであるので、この長い真空断熱材２５を水平延出部２７ａと支持部材３１の他端３１ａの上に載置するために、真空断熱材２５の端部が挿入される水平延出部２７ａの長さと支持部材３１の他端３１ａの長さは、水平延出部２７ａと支持部材３１の他端３１ａの一方が他方よりも長く、真空断熱材２５の一端を前記一方と底板２３との間の最奥まで挿入した場合、真空断熱材２５の他端は前記他方と底板２３との間にから外れ、真空断熱材２５の他端を前記他方と底板２３との間の最奥まで挿入した場合、真空断熱材２５の一端は前記一方と底板２３との間に位置して当該真空断熱材２５の一端が前記一方と底板２３との間で支持されるように構成されているものである。
【００１５】
図４は、図１に示した冷蔵庫１の上部冷凍室９の上下周辺の構造を示す断面図である。図４に示すように、冷蔵室５の底板２３の下側には、真空断熱材２５が設けられ、この真空断熱材２５は、水平延出部２７ａと支持部材３１の他端３１ａで両端が支持され、当該真空断熱材２５の下面は、上部冷凍室９内に剥き出しになっている。
【００１６】
このような構成において、上部冷凍室９の冷凍貯蔵容器２１内には、例えば肉などの食材である収納物４１が収納され、また冷蔵室５には被冷蔵収納物４３が収納されている。この場合において、上部冷凍室９内に収納される収納物４１が、例えば煮炊きなどの調理した直後の温度の高い高温収納物４１であるような場合には、この高温収納物４１の温度が冷蔵室５内に伝達して、冷蔵室５内の被冷蔵収納物４３の冷蔵を弱め、被冷蔵収納物４３の劣化を促進する可能性があるが、本実施形態のように上部冷凍室９と冷蔵室５との間の隔壁に真空断熱材２５を設けることにより、上部冷凍室９内の高温収納物４１の温度が冷蔵室５内の被冷蔵収納物４３に伝達することが真空断熱材２５により防止され、被冷蔵収納物４３の劣化を防止することができる。
【００１７】
図５は、図１に示した冷蔵庫１において真空断熱材２５を上部冷凍室９の上側に挿入して取り付けようとする動作状態を示す斜視図である。図５に示すように、前記真空断熱材２５を冷蔵室５と上部冷凍室９との間に挿入して取り付けるには、上部冷凍室９を取り出し、この取り出した上部冷凍室９のあった空所に手前側から真空断熱材２５を挿入する。それから、この挿入した真空断熱材２５の先端を前記棚部２７の水平延出部２７ａの上に載置してから、次に真空断熱材２５の後端を支持部材３１の他端３１ａ上に載置し、これにより真空断熱材２５を水平延出部２７ａと他端３１ａとで支持する。
【００１８】
なお、真空断熱材２５の後端を支持部材３１の他端３１ａ上に載置するには、水平延出部２７ａ上に載置した真空断熱材２５の先端を冷蔵庫１の奥の方に挿入するように押動して、真空断熱材２５の後端を支持部材３１の他端３１ａに引っ掛からないようにしてから、真空断熱材２５の後端を持ち上げ手前に引き戻すようにして、真空断熱材２５の後端を支持部材３１の他端３１ａ上に載置する。
【００１９】
上記実施形態の冷蔵庫１では、上部冷凍室９と冷蔵室５との間の隔壁に真空断熱材２５を設けることにより、上部冷凍室９内の高温収納物４１の温度が冷蔵室５内の被冷蔵収納物４３に伝達することが真空断熱材２５により防止され、被冷蔵収納物４３の劣化を防止することができるものであるが、更に真空断熱材２５は冷蔵室５と上部冷凍室９との間の隔壁の中に、例えば引掛けなどにより、すなわち本実施形態では図３に示すように水平延出部２７ａと支持部材３１の他端３１ａの上に両端を載置するだけで、簡単に取り付けられているものであるため、真空断熱材２５の取り外しも、水平延出部２７ａと支持部材３１の他端３１ａの上から取り出すだけであるという非常に簡単なものであり、真空断熱材２５が例えば劣化したり、破損などしたような場合には、上部冷凍室９を取り外し、この取り外した空所から真空断熱材２５を冷蔵室５の底面側から簡単に取り外して、新しい真空断熱材と簡単に交換することができる。
【００２０】
図６は、本発明の他の実施形態の冷蔵庫を冷蔵室５の右側の開き扉および冷凍室の引出し式扉が開かれた状態で示す斜視図である。図６に示す冷蔵庫１０においては、冷凍室１１の引出し式扉１１ａが引き出され、冷凍室１１の内部の冷凍収納容器３３が図示されている。
【００２１】
図７は、図６に示した冷蔵庫１０の冷凍室１１を引出し式扉１１ａとともに取り出して後方から示す斜視図である。図７から分かるように、冷凍室１１の冷凍収納容器３３は、引出し式扉１１ａの裏側にＬ型アーム３５によってスライド自在に取り付けられている。このＬ型アーム３５は、図８に示すように、引出し式扉１１ａの裏側の左右の両端に基部が取り付けられ、この基部から直角に延出部３５ａが伸びているが、この延出部３５ａに対して冷凍収納容器３３の両側の上部に設けられたレール部がスライド自在に嵌合し、これにより冷凍収納容器３３は、引出し式扉１１ａとともに引き出し得るようになっている。
【００２２】
また、図７に示すように、冷凍室１１の裏側には、真空断熱材３７が取り付けられているが、この真空断熱材３７は、図８から分かるように、前記Ｌ型アーム３５の基部を避けて、太いＨ型に形成されている。
【００２３】
図９は、上述したように真空断熱材３７が裏側に取り付けられた引出し式扉１１ａの横断面図であり、上部に引出し式扉１１ａの上端が拡大して図示されている。図９に示すように、真空断熱材３７は、引出し式扉１１ａの裏側の凹部に取り付けられている。
【００２４】
上述したように、真空断熱材３７を引出し式扉１１ａの裏側に取り付ける方法は、図示しないが、例えば引出し式扉１１ａの裏側の上下端部に引掛り部を設け、この引掛り部に真空断熱材３７の上下端部を引っ掛けて取り付ける引掛け式または差し込み式やスナップ式に取り付けることが可能であるし、または引出し式扉１１ａの裏側とこの裏側に対向する真空断熱材３７の面の両方に面状ファスナーを設けて、真空断熱材３７を引出し式扉１１ａの裏側に取り付けてもよいなどのように種々の方法が可能である。
【００２５】
すなわち、面状ファスナーは、対向する両面に絡み合う繊維を貼付し、この繊維の絡み合いで両面同士が接着し合う一対のものであるが、この面状ファスナーの一方を引出し式扉１１ａの裏面に取り付け、他方を真空断熱材３７に取り付ければ、真空断熱材３７を引出し式扉１１ａの裏側に取り付けることができる。なお、真空断熱材３７の取り外しは、真空断熱材３７を強く引っ張ることにより、簡単に真空断熱材３７を引出し式扉１１ａの裏側から取り外すことができる。
【００２６】
上記実施形態では、冷凍室１１の引出し式扉１１ａの裏側に真空断熱材３７が設けられているため、冷凍室１１の断熱性を向上することができるとともに、真空断熱材３７は、引出し式扉１１ａの裏側に引掛け式、差し込み式やスナップ式または面状ファスナーで比較的簡単に取り付けられているものであるため、真空断熱材３７の取り外しも簡単であり、真空断熱材３７が例えば劣化したり、破損などしたような場合には、この真空断熱材３７を引出し式扉１１ａの裏側から簡単に取り外して、新しい真空断熱材と簡単に交換することができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１、１０  冷蔵庫
５  冷蔵室
５ａ、５ｂ  冷蔵室の扉
７  製氷室
７ａ  製氷室の引出し式扉
９  上部冷凍室
９ａ  上部冷凍室の引出し式扉
１１  冷凍室
１１ａ  冷凍室の引出し式扉
２１  冷凍貯蔵容器
２３  底板
２５  真空断熱材
２７  棚部
２７ａ  水平延出部
３１  支持部材
３１ａ  支持部材の他端
３３  冷凍収納容器
３５  Ｌ型アーム
３５ａ  延出部３５ａ
３７  真空断熱材
４１  高温収納物
４３  被冷蔵収納物
【図１】
2014006000.tif 000003
【図２】
2014006000.tif 000004
【図３】
2014006000.tif 000005
【図４】
2014006000.tif 000006
【図５】
2014006000.tif 000007
【図６】
2014006000.tif 000008
【図７】
2014006000.tif 000009
【図８】
2014006000.tif 000010
【図９】
2014006000.tif 000011